(57)【要約】  空気流を一次流れと二次流れとに分離するための、スラット（１６）を有する環状分離壁（１６０）であって、スラットが前縁部を有する、環状分離壁（１６０）と、一次流れを案内するためのＩＧＶブレード、および、二次流れを案内するためのＯＧＶブレードと、を備えた、前部ファンターボ機械。  スラット（１６）の前縁部は、連続した歯および凹部を有する鋸歯状プロファイル（２８）を有している。
2021514036.tif 000002
【特許請求の範囲】
【請求項１】
空気流が上流から下流に、内部を循環することができる前部ファン（１４）を有するターボ機械であって、ターボ機械が、全体軸（Ｘ）を有し、この軸周りに、前部ファンが回転することができ、前部ファンが回転する際に、前部ファンが下流に後流を生成し、ターボ機械が、
ファン（１４）の下流の空気流を一次流れと二次流れとに分離するための、スラット（１６）を有する環状分離壁（１６０）であって、スラット（１６）が前縁部を有する、環状分離壁（１６０）と、
一次流れ（Ｆｐ）を案内するための第１のガイドベーン（ＩＧＶ２４）と、
二次流れ（Ｆｓ）を案内するための第２のガイドベーン（ＯＧＶ２６）と、を備え、
環状分離壁（１６０）のスラット（１６）の前縁部が、連続した歯（３０）と波状の凹部（３２）とを有する鋸歯状プロファイル（２８）を有し、
前縁部の延長の方向（Ｌ）に沿って繰り返される、基本の幾何学形状であって、前記方向（Ｌ）に沿う２つの連続する基本の幾何学形状（３４、３６）の２つの同一の波形が、その波形間に、前記方向に沿って距離（λ）を有する、基本の幾何学形状と、
前記方向（Ｌ）に対して垂直な最大振幅（ｈ）であって、この方向（Ｌ）に沿って、前縁部が長さを有する最大振幅（ｈ）と、
を規定し、かつ、以下の基準、
ａ）最大振幅（ｈ）が、
【数１】
2021514036.tif 000021
で４０％以内の関係にしたがって寸法が決定され、
【数２】
2021514036.tif 000022
において、
ｕ’ｉを、方向ｉにおける、前部ファン（１４）と第１のガイドベーン（２４、ＩＧＶ）との間の空気流（３８）の速度、
ｒを、ｋ方向における前部ファン（１４）の後流の２つのポイント間の距離とし、
【数３】
2021514036.tif 000023
を、プロファイルの弦（４０）の方向、または、ターボ機械の全体軸（Ｘ）に平行な方向での、前部ファン（１４）によって生成される空気流（３８）の積分スケールとすることと、
ｂ）前記距離（λ）が、以下の関係、
ｅ＜λ≦ｄ−ｅ
ここでｄ／λ≠１，２，３・・・
を尊重し、ｅを、前部ファン（１４）の前記ブレード（１４０）の内の１つの後流内の、前部ファン（１４）によって生成される空気流（２８）の幅であって、前記幅が、前記後流によって生成された、最大の乱流の運動エネルギＫ＿ｍａｘの半分が見られるポイントにおいて計算され、ｅが、
【数４】
2021514036.tif 000024
から４０％以内にあるものと概算可能である幅であり、
ｄを、前部ファン（１４）の、周方向に連続する２つのブレード（１４０）間の間隔とすることと、
ｃ）前縁部の長さに沿う、基本の幾何学形状の、歯（３０）、凹部（３２）、または繰り返し周期の数が、第１のガイドベーン（２４、ＩＧＶ）の数に等しく、４０％以内にあることと、
の規準ａ）、規準ｂ）、規準ｃ）の少なくとも１つを満たすことを特徴とする、ターボ機械。
【請求項２】
第１のガイドベーン（２４、ＩＧＶ）が、全体軸（Ｘ）に対する角度位置（β）を有し、
前記全体軸（Ｘ）周りに、鋸歯状プロファイル（２８）の前記凹部（３２）の少なくともいくつかが、第１のガイドベーン（２４、ＩＧＶ）の角度位置（β）に対して角度的にオフセットしており、それにより、前記少なくともいくつかの凹部（３２）が、周方向に連続した２つの前記第１のガイドベーン（２４、ＩＧＶ）の間に角度的に介在されている、請求項１に記載のターボ機械。
【請求項３】
前部ファン（１４）が、前記全体軸（Ｘ）周りに所定の方向（Ｙ）に回転するように構成されており、それにより、ファンの下流の空気流（３８）が、前記全体軸（Ｘ）に対してある角度（α）で、ほぼ斜めに向けられ、
歯（３０）が、前部ファン（１４）下流の空気流のほぼ斜めの向き（α）に向かって、該空気流に面するように前記全体軸（Ｘ）周りで円周方向に傾斜する、請求項１または請求項２に記載のターボ機械。
【請求項４】
第１のガイドベーン（２４、ＩＧＶ）が、個々に、キャンバーライン（２４０）および前縁部（２５）を有し、
歯（３０）が、前記全体軸（Ｘ）周りに周方向に、かつ個々に、前縁部（２５）が通る前記第１のガイドベーン（２４、ＩＧＶ）のキャンバーライン（２４０）に対する接線（４２）方向にほぼ向けられ、前記接線が、ターボ機械の全体軸（Ｘ）の方向に対し、（β）の非ゼロの角度を形成する、請求項１から請求項３のいずれか一項に記載のターボ機械。
【請求項５】
鋸歯状プロファイル（２８）の凹部（３２０）が底部を有し、
前記全体軸（Ｘ）の方向において、凹部（３２０）の前記底部の少なくともいくつかが、第１の表面（Ｙ１、Ｙ２）に属し、第１の表面（Ｙ１、Ｙ２）は、前記全体軸（Ｘ）に交差し、第２の表面（Ｙ’１、Ｙ’２）よりもさらに下流または上流に配置されており、第２の表面（Ｙ’１、Ｙ’２）は、第１のガイドベーン（２４、ＩＧＶ）の前縁部（２５）の少なくともいくつかが属する前記全体軸（Ｘ）と交差している、請求項１から請求項４のいずれか一項に記載のターボ機械。
【請求項６】
鋸歯状プロファイルの歯（３０）および凹部（３２）が、個々に、丸いまたは鋭い先端（３１）を有する波形状を有する、請求項１から請求項５のいずれか一項に記載のターボ機械。
【請求項７】
航空機（１００）を推進するように構成されることを特徴とする、請求項１から請求項６のいずれか一項に記載のターボ機械。
【発明の詳細な説明】
【技術分野】
【０００１】
本発明は、航空機のターボ機械、または、航空機のターボ機械の試験台における、固定ブレードの航空音響管理の分野に関する。
【背景技術】
【０００２】
このタイプの固定ブレードは、例えば、空気流を整えるために、回転体の下流に配置されたＯＧＶ（出口ガイドベーン）、または整流器に見られる。静翼またはガイドベーンとの用語が、回転ブレードと対照的なものとして、固定ブレードを示すために使用される。
【０００３】
一実施例として、（前部）ファンと、二次空気脈流内に配置された、下流のガイドベーンと、を有するターボファンエンジンが与えられる。
【発明の概要】
【発明が解決しようとする課題】
【０００４】
一定数のターボファンエンジン、特に、超高バイパス比ターボファンエンジン（ＵＨＢＲ、希釈率が１５を超える、非常に高い希釈率のフェアリングファンのエンジン構成）では、ファンの直径を増大させ、ターボ機械を航空機に対して懸架する懸架ポッドの長さを低減することが予想され、こうして、ファンと、ＩＧＶ（入口ガイドベーン）の吸気ガイドベーン、ＯＧＶ、およびスラットとの間の距離を低減させることが考えられる。このタイプのエンジンでは、ファンによって発生する後流の、ＩＧＶ、ＯＧＶおよびスラットとの干渉が、主要な広帯域のノイズの発生源の１つである。したがって、新たな技術的解決策が、現在の音響レベルを維持および低減するために、分析されなければならない。
【課題を解決するための手段】
【０００５】
本発明は、このため、（前部）ファンおよび、このファンがその周りを回転することができる全体軸（Ｘ）を有するターボ機械であって、このターボ機械が、
ファン下流の空気流を一次流れと二次流れとに分離するための、スラットを有する環状分離壁であって、スラットが前縁部を有する、環状分離壁と、
一次流れを案内するための第１のガイドベーン（ＩＧＶ）と、
二次流れを案内するための第２のガイドベーン（ＯＧＶ）と、
を備えたターボ機械に関する。
【０００６】
ファンによる回転の中に置かれた流れと、二次ダクト内の整流器との間の干渉は、ターボ機械によって生じるか、動作状況に応じて航空機によって生じさえするノイズ全体に亘って支配的であると考えられるノイズの発生源にある。
【０００７】
この文脈において、上述の問題の全てまたは一部を少なくとも制限するために、前記環状分離壁のスラットの前縁部が、歯と凹部とが連続した鋸歯状プロファイルを有するものとされることが提案される。
【０００８】
換言すると、ファンブレードの後流と、スラットとの間の干渉ノイズを低減するために、波状の前縁部のスラットを使用することが、本明細書で提案されている。これに関し、スラットと、ファンブレードの後縁部との間の軸方向の距離が比較的短く、したがって、スラットは、ＯＧＶおよびＩＧＶによって感知される空気の乱流より高いレベルの空気の乱流に曝される場合があることに留意されたい。
【０００９】
鋸歯状、すなわち、波状の前縁部を有する翼型に関し、波形（以下を参照）とは関係なく、乱流を伴う干渉ノイズが、特に波形の凹部において生成され、この凹部で、圧力の変動がより強くなる。
【００１０】
したがって、当然の目標は、ノイズ発生源と、凹部の底との間の干渉を最小にすることにより、波状の前縁部のスラットによって広がるノイズを低減するように、波形の幾何学形状を最適にすることである。
【００１１】
この干渉を低減させるために、とりわけ、正弦波形または三角形とすることができる、波形を画定するために、３つの規準の全てまたは一部が考慮された。
【００１２】
より正確には、
前縁部の延長の方向に沿って、それ自体が連続する基本の幾何学形状（このため、この幾何学形状のプロファイルは、周期的法則に従う）であって、前記方向に沿う２つの連続する基本の幾何学形状の２つの同一の波形が、その波形間に、前記方向に沿って距離λ（ｍ）を有する、基本の幾何学形状と、
前記方向に対して垂直な、最大振幅ｈ（ｍ）と、
を画定し、かつ、以下の基準、
ａ）最大振幅が、
【数１】
2021514036.tif 000003
で４０％以内の関係にしたがって寸法が決定され、
【数２】
2021514036.tif 000004
において、
ｕ’ｉ（ｍ／ｓ）を、方向ｉにおける、ファンと第１のガイドベーン（５、ＩＧＶ）との間の空気流の速度、
ｒを、ｋ方向におけるファンの後流の２つのポイント間の距離（ｍ）とし、
【数３】
2021514036.tif 000005
を、ターボ機械の全体軸（図２のＸ軸）の方向（これに対して平行な方向）、または、鋸歯状プロファイルの弦（そのような弦が存在する場合であり、図３のアイテム４０を参照）の方向での、ファンによって生成される空気流の積分スケール、とすることと、
ｂ）前記距離（λ）（すなわち、２つの連続する歯の間の周期性または間隔）が、以下の関係、
ｅ＜λ≦ｄ−ｅ
ここでｄ／λ≠１，２，３・・・
を尊重し、
ｅを、ファンのブレードの下流のファンによって生成される（空気流の）後流の損失を規定する幅（ｍ）であって、前記幅が、最大乱流運動エネルギＫ＿ｍａｘの半分が生成される空気流の対応する部分、このため、前記後流内において見られるポイントにおいて計算され、ｅが、
【数４】
2021514036.tif 000006
（ここで、
【数５】
2021514036.tif 000007
は、周方向に、ファンによって生成された空気流の積分スケールである）から４０％以内にあるものと概算されることができる幅であり、
ｄを、周方向に連続する２つのファンブレード間の間隔（ｍ）（図１３を参照されたい）とすることと、
ｃ）鋸歯状プロファイルの前縁部の長さに沿う、基本の幾何学形状の、歯、凹部、または繰り返し周期の数が、第１のガイドベーン（ＩＧＶ）の数の４０％以下であることと、
の規準ａ）、規準ｂ）、規準ｃ）の少なくとも１つを満たす、波形を与える鋸歯を有するプロファイルを考慮することが提案されている。
【００１３】
このテキストでは、
寸法のパラメータ（振幅、距離、速度など）は、ＳＩ単位系（国際単位系）で考慮され、
「４０％以内」との許容範囲は、必要であれば、１０％以内に低減される場合がある。このことは、前記波状の前縁部のスラットにより、前部ファンの一定の回転速度において、発散されるノイズがさらに低減されることに繋がる。
【００１４】
さらに、このテキストの式における下付文字または指数（ｉ、ｊ、ｋ）に関し、例えば、図１３が、ファンブレードのプロファイル１４０、ならびに、下流の流れの後流およびスラット１６を示しており、ここで、下付文字（ｉ、ｊ、ｋ）が、
１に等しい場合、これらは「Ｘ」方向（ターボ機械の全体軸の方向）に対応し、
２に等しい場合、これらは「Ｙ」方向（周方向）に対応する
ことに留意されたい。このため、スラット１６の前縁部の延長の方向（図２または図１３のＬ）は、周方向「Ｙ」、または、図１３の
【数６】
2021514036.tif 000008
の指数「２」に対応する。
【００１５】
「ｒ」が、積分スケールの計算のための、
【数７】
2021514036.tif 000009
に関する上述の方程式の積分変数であることをも理解されたい。
【００１６】
空気流を前記一次流れと前記二次流れとに分割するスラット（以下に１６と付されている）のケースのように、明確な「弦」がない場合、「プロファイルの弦（以下に４０と付されている）の方向」は、このケースでは、前記全体軸の方向に対応することが考慮される。
【００１７】
通常、過度には歪曲されない、周期的な基本の幾何学形状を有するプロファイルを少なくとも有することで、ファンによって生成された空気流または流れが、歯（の頂部）において波状前縁部をバイパスし、凹部の近くで加速することがわかる。
【００１８】
この場合、第１のガイドベーン（ＩＧＶ）の前縁部のケーシング領域のレベルで、過度に大きいエリアの乱流、および／または、過剰な速度になることを避けるために、前記全体軸（Ｘ）周りに、鋸歯状プロファイルの凹部の少なくともいくつかが、第１のガイドベーン（ＩＧＶ）の角度位置に対して角度的にオフセットしており、それにより、（少なくともいくつかの）凹部が、周方向に連続した２つの第１のガイドベーン（ＩＧＶ）の間に角度的に介在されていることが提案されている。
【００１９】
ファンの軸方向下流で生成された空気流は、渦を巻き、ファンの回転方向および速度によって強く影響される。
【００２０】
歯の表面が、予想される音響の影響において、可能な限り完全に有効になることができるように、このことを考慮に入れるために、前記全体軸（Ｘ）に対して平行な方向に対して傾斜する形で歯が個別に展開し、それにより、これら歯が、ファンの回転により、こうして生成される回転流の、前記Ｘ軸に対しほぼ斜めになっている、回転方向に向けられるようになっていることが、提案されている。
【００２１】
換言すると、
ファンが、前記全体軸（Ｘ）周りに所定の方向に回転するように構成されており、それにより、ファンの下流の空気流が、前記全体軸（Ｘ）に対し、ほぼ斜めに向けられているようになっており、
歯が、このため、前記全体軸（Ｘ）周りに周方向に、ファンの下流の空気流のほぼ斜めの向きに向けて傾けられて、ほぼこの斜めの向きに面することができる。
【００２２】
空気流の方向が、ファンの速度に応じて変化できるように、歯がＩＧＶのキャンバーの方向に傾けられることも可能である。
【００２３】
両方のケースにおいて、歯は実際には個別に、問題となっている歯の頂部を通る、前記全体軸（Ｘ）に対して平行な方向に関し、軸方向に非対称となる。
【００２４】
基本的に、傾斜は、歯に応じて異なる傾斜が可能である場合であっても、全ての歯に関して同じとなる。
【００２５】
同様に、ファンの回転の影響を考慮するために、かつ、前記渦を巻く空気流のＩＧＶに対する音響の影響を制限するために、
ａ）前記第２のガイドベーン（ＩＧＶ）が、全体で平均キャンバーラインを有し、歯の少なくともいくつかが、これらＩＧＶの平均キャンバーラインに対し、ほぼ接線方向に、前記全体軸（Ｘ）周りに周方向に向けられており、接線に関し、ＩＧＶの前縁部において、ターボ機械の全体軸（Ｘ）の方向に対して、ゼロではない角度（β）を形成することが可能であること、および／または、
ｂ）前記全体軸（Ｘ）の方向において、鋸歯状プロファイルの凹部の底部が、これら底部の少なくともいくつかにおいて、前記全体軸（Ｘ）に交差する第１の表面に属し、この第１の表面が、第２のガイドベーン（ＩＧＶ）の前縁部の少なくともいくつかが属する、前記全体軸（Ｘ）に交差する第２の表面よりもさらに下流または上流に配置されていることが、同様に提案されている。
【００２６】
ポイント（ａ）は、ＩＧＶの形状に関し、空気流の好ましい角度方向を確実にし、ポイント（ｂ）は、ＩＧＶに関する空気流の、継続的な下流の案内を確実にし、それにより、空気流が歯に沿って依然としてスライドしており、したがって、依然として、歯によって直接向けられる間、空気流が歯に当たるようになっている。
【００２７】
形状に関し、鋸歯状プロファイルの歯および凹部が、丸いか鋭い頂部を有する、個別に波形状を有するものとすることが、さらに提案されている。
【００２８】
丸い頂部の利点は、これにより、局所的な過度の機械的応力集中を避け、こうして、長期に亘って良好な強度を提供することである。鋭い頂部の利点は、ノイズ低減能力が向上することである。
【００２９】
さらなる考慮事項は、鋸歯状プロファイルの歯および凹部が、局所的に直線状の側壁を有するように個別に形状を付され、同じ利点を有することである。
【００３０】
航空機の推進に関して提供されているが、ターボ機械の特性は、陸または海の、他の用途に関連することができる。
【００３１】
添付図面を参照しつつ、非限定的な実施例として与えられている、以下の詳細な説明を読むことにより、必要な場合、本発明がよりよく理解され、本発明の他の詳細、特徴、および利点が現れる。
【図面の簡単な説明】
【００３２】
【図１】航空機のための通常のターボ機械の長手方向の断面図（Ｘ軸）である。
【図２】本発明に係る解決策を有する、一次流と二次流との間の分離壁の上流ゾーン（スラット）を示す図である。
【図３】図２の細部ＩＩＩに対応する図である。
【図４】図１の細部ＩＶに対応する図である。
【図５】本発明に係る、様々な鋸歯状プロファイル形状を示す図である。
【図６】本発明に係る、様々な鋸歯状プロファイル形状を示す図である。
【図７】本発明に係る、様々な鋸歯状プロファイル形状を示す図である。
【図８】本発明に係る、様々な鋸歯状プロファイル形状を示す図である。
【図９】本発明に係る概略的な鋸歯状プロファイル、および、空気流の流線を示す図である。
【図１０】本発明に係る概略的な鋸歯状プロファイル、および、空気流の流線を示す図である。
【図１１】本発明に係る概略的な鋸歯状プロファイル、および、空気流の流線を示す図である。
【図１２】周方向Ｙにおける、一定のブレード高さでのファンブレードの後方の、一次流の乱流の運動エネルギＫ発生の曲線を示す図である。
【図１３】特に、前部ファンブレードと、流れを分離するスラットの狭められたプロファイルの実施例との間の、周方向Ｙに沿う乱流の空気流の強度曲線を示す図であり、この図は、スラットにおいて形成された一定の半径方向断面を示している。
【発明を実施するための形態】
【００３３】
図１を参照すると、航空機１００のターボジェット１０が、概略的に示され、以下のように画定されている。
【００３４】
ポッド１２が、前方（図１では左側）に上流ファン１４（ＡＭ）を含む、様々な構成要素のための外側ケーシングとして使用されている。
【００３５】
ファン１４の下流（ＡＶ）では、空気流（図４において、符号３８で局所的に概略が示されている）が、環状壁１６０の分離スラット１６により、一次空気流と二次空気流とに分離される。一次空気流は、第１のベーンとも呼ばれる、吸気ガイドベーン２４、ＩＧＶにおいて、低圧コンプレッサ２２に入る際に、内側の環状空気通路、または一次ジェット１８を通って流れる。二次空気流は、分離スラット１６により、外部の環状空気通路２０（二次ジェット）内に、二次ベーンとも呼ばれる流出ガイドベーン２６、ＯＧＶへ、次いで、エンジン流出部へと、方向が変えられる。
【００３６】
図２では、分離スラット１６の前部１６１をより正確に可視化することができる。この前部１６１は、最も上流側に位置する前縁部１６４を含み、また、この前部１６１において、分離スラット１６の外壁１６２が、分離スラット１６の内壁１６３と接触し、上壁１６２が二次ジェット２０の内側シェルを形成する。
【００３７】
本テキストでは、軸方向は、ターボ機械の関連する部分の回転の長手方向軸（Ｘ）に沿うか、平行に延びる任意の方向に言及する。この軸は、基本的に、ターボ機械の主要な回転軸である。径方向（Ｚ軸）であるもの、および、周方向であるものは、それぞれ、Ｘ軸に対して径方向に延びるもの、および、Ｘ軸周りに延びるものである。Ｘ軸に対して、そのように径方向であるもの全ては、内部にあるものであるか内側のもの、および、外部にあるものであるか外側のものである。このため、内壁１６３は、分離スラット１６の、径方向内側の壁である。さらに、上流および下流に対する任意の参照は、考慮されているタービンエンジン（の一部）のガスの流れに関連して考慮されるものとする。これらガスは、上流から入り、下流から出て、ほぼ前述の長手方向の回転軸に平行に循環する。
【００３８】
さらに、添付図面、および、この添付図面に関する記載は、Ｘが上述のように規定されたものとして、慣習的な、垂直の基準マークＸ-Ｙ-Ｚを参照しつつ規定されている。
【００３９】
分離スラット１６は中空である。壁の外側面１６２は、二次流れを受ける外側の環状空気通路２０に対する径方向内側の境界として機能し、一方、壁の内側面１６３は、一次流れを受ける内側の環状空気通路１８に対する径方向外側の境界として機能する。
【００４０】
分離スラット１６の下側壁１６３は、低圧コンプレッサ２２の外側シェルを形成する。
【００４１】
流出部２６の下流の、分離スラット１６の前縁部１６４からのＩＧＶ２４の軸方向のオフセット（Ｘ）は、同じ前縁部１６４からのＯＧＶ２６のオフセットより小であるが、分離スラット１６の前縁部１６４に直接隣接している前部１６１の部分は明確である。
【００４２】
したがって、このゾーンによって発生するノイズを制限することによる、航空音響管理の印加される影響に関し、この前縁部１６４が、歯３０と凹部３２とが連続するプロファイル２８を有していることが予測されることができる。
【００４３】
鋸歯２８のプロファイルの前縁部に沿うノイズ発生源間の干渉を低減するために、図示のように、とりわけ、正弦波形であるか三角形とされることができる鋸歯に関する３つの規準のいくつかまたは全てを考慮することが提案されている。
【００４４】
第１の規準：乱流のフルスケール。
乱流の積分スケールから、鋸歯の波長λと振幅ｈとを概算することが提案されている。
【００４５】
より正確には、我々は、鋸歯状プロファイル２８が、
前縁部１６４（図２および図３）の延長の方向（Ｌ）に沿って、それ自体が繰り返される基本の幾何学形状であって、２つの同一（または、２つの連続した歯の幾何学形状がわずかに変化している場合、＋／−１５％まで、おおよそ同一）である、２つの連続した基本の幾何学形状の波形、例えば、図５および図６の符号３４、３６などが、前記方向Ｌに沿って、その波形間に、この方向に距離λ（ｍ）を有する、基本の幾何学形状と、
この方向Ｌに対して垂直な、最大振幅ｈ（ｍ）と、
を規定する波形を提供することを考慮することになる。
【００４６】
基本の幾何学形状が、いくつかの、好ましくは２つの波形、２つの異なる歯３０と２つの異なる凹部３２とを有すると推定されると、図５に示すように、最大振幅ｈは、歯３０の頂部、もしあれば、もっとも顕著な頂部と、凹部３２の底部、もしあれば、最も深い底部との間の、Ｘ軸に沿う最大の距離として規定されており、このケースでは、
λ＝λ１＋λ２
となる。
【００４７】
この第１の規準によれば、最大振幅ｈは、
【数８】
2021514036.tif 000010
の関係に従って規定される寸法から、４０％以内にあるような寸法であるように選択される。この一般式
【数９】
2021514036.tif 000011
（※）
では、
ｕ’ｉ（ｍ／ｓ）を、方向ｉにおける、ファン１４とガイドベーンＩＧＶ２４との間の空気流の速度、
ｒを、ｋ方向におけるファンの後流の２つのポイント間の距離（ｍ）、
【数１０】
2021514036.tif 000012
を、全体機械軸（図２）、または、プロファイルの弦４０（図３）の方向において、ファン１４によって生じる空気流３８（図４）の積分スケールとする。
【００４８】
（※）さらなる詳細または説明については、ＡＩＡＡの会議論文「Ｗａｖｙ  Ｌｅａｄｉｎｇ  Ｅｄｇｅ  Ａｉｒｆｏｉｌｓ  Ｉｎｔｅｒａｃｔｉｎｇ  ｈａｖｉｎｇ  Ａｎｉｓｏｔｒｏｐｉｃ  Ｔｕｒｂｕｌｅｎｃｅ」の、ＡＩＡＡ２０１７−３３７０、ページ４／１６に公表されている、式（５）、および、その関連するデータを参照されたい。このことは、ｕ’ｉが、前記空気流の速度のｎ番目の構成要素を示し、ｒが、ｋ番目の方向２つのポイント間の距離であり、ｅｋが、ｋ方向における単位ベクトルであり、
【数１１】
2021514036.tif 000013
が、アンサンブル平均の記号であることを特定している。したがって、
【数１２】
2021514036.tif 000014
は、ｋ番目の空間的方向における前記速度のｎ番目とｊ番目の構成要素の積分長さスケールである。
【００４９】
これら定義を使用して、プロファイル２８の広帯域のノイズを最適化するために使用される鋸歯のサイズは、
【数１３】
2021514036.tif 000015
と、
【数１４】
2021514036.tif 000016
とを、それぞれ、翼型の翼弦４０の方向（したがって、実質的に、前記全体軸に沿う）の乱流の空気流３８の積分スケールと、延長方向Ｌでの前縁部１６４の積分スケールと、として（図５〜図８、および図１３を参照）、
【数１５】
2021514036.tif 000017
および、
【数１６】
2021514036.tif 000018
を満たすものとする。
【００５０】
これらの値は、等方性乱流の空気流が存在する中で、スラット１６によって生じる広帯域のノイズの低減を最適化するために使用される。
【００５１】
しかしながら、このことは、ファンが作動している場合、実際には等方性の乱流ではない、空気流またはファン１４の後流３８に関するケースとはならないものとして、考慮されることができる。
【００５２】
したがって、以下の第２の規準を、１６４などのスラットの動作上の特殊性に対して好ましく適応させるために、単独で、または第１の規準と組み合わせて、適用することが決定されることができる。
【００５３】
第２の規準：最大の音響放射を有する凹部の低減。
したがって、同時に、個別化された後流３８によって影響される前縁部１６４の凹部３２の数を低減することが提案されている。このため、図１３により、我々は、空気流３８の強度（または割合）Ｉの最大レベル（ゾーンＩｍ）がファン１４の各ブレード１４０の、後流にあることを見ることが可能である。これら最大レベルは、スラット１６からの音響放射の振幅に直接関連している。
【００５４】
凹部３２の数を低減するために、ファンのブレード１４０の単一の後流が、実質的に同時に、周方向に連続する２つの凹部３２に影響することを防止するように、鋸歯状プロファイルの前縁部１６４の設計および構成に、追加の条件を適用することが、最初に提案されている。
【００５５】
この条件は、
λ＞ｅ
によって与えられ、ここでｅは、ブレード１４０とほぼ連続している、ブレード１４０下流の、ファンによって発生する空気流３８の後流の幅に対応する（図１３参照）。この局所的な後流の幅は、図１２に示すように、スラット１６の前縁部１６４に面している、このブレードの後流において、最大の乱流の運動エネルギＫｍａｘの半分が見られるポイントにおいて計算される。この値ｅは、テストデータから、または、
【数１７】
2021514036.tif 000019
の規準から概算されるものから、４０％以内とすることができる。乱流の積分スケールも、計算流体力学（ＣＦＤ：Ｃｏｍｐｕｔａｔｉｏｎａｌ  Ｆｌｕｉｄ  Ｄｙｎａｍｉｃｓ）の計算から概算されることができる。
【００５６】
第２に、周方向に連続する２つのファンブレード１４０間の間隔または距離ｄを考慮するために、別の条件を追加で適用することが提案されている。図１３を参照されたい。図１３では、距離ｄが、２つの連続するファンブレードの２つの後縁部間の距離として規定されている。この目的は、いくつかのファンブレード１４０の同時の後流の同時の影響に起因する、いくつかの凹部３２の最大の音響放射を避けることである。ノイズの低減は、ブレードの数が、最大のノイズを放射する凹部の数に等しい場合に、影響が少なくなるものとされる。
【００５７】
したがって、別の条件として、２つの連続する歯３０間の周期性または間隔、すなわち、前記距離（λ）に関し、
ｅ＜λ≦ｄ−ｅ
ここでｄ／λ≠１，２，３・・・
が提案されている。したがって、
ｅは、ブレード１４０の下流でファンによって生成される乱流の空気流３８（技術用語では「ファン後流」と呼ばれる）の幅（ｍ）であって、前記幅が、最大の乱流の運動エネルギＫ＿ｍａｘの半分が、好ましくは、図１３を参考とするスラットの前縁部に面する（または近接する）、生成される空気流の対応する部分において見られるポイントにおいて計算される、幅（ｍ）であり、ｅは、
【数１８】
2021514036.tif 000020
の規準から概算されるもの（上述の一般式を参照されたい）から、４０％以内と概算されることができ、ｄは、好ましくは、スラットの前縁部において（またはその近くで）、周方向に連続する２つのファンブレード１４０間の間隔（ｍ）である。図１３を参照されたい。
【００５８】
規準「ｅ」は、有利には、スラットの前縁部にもっとも近いポイントにおいて計算されることになる。
【００５９】
第３の規準：ＩＧＶに関する凹部の配置。
通常、流れ３８は、歯３０の頂部において前縁部１６４をバイパスし、凹部３２の底部の近位で加速する。図９から図１１に示される流れのラインを参照されたい。
【００６０】
したがって、前述の条件の全てまたは一部に対し、代替的または追加的に、別の条件を、鋸歯状プロファイルを有する前縁部１６４の設計および構成に適用することが提案されている。すなわち、鋸歯状プロファイルの前縁部１６４の長さ（方向Ｌであり、このため、ここでは、外辺部）に亘る基本の幾何学形状の、歯３０、凹部３２、または繰り返し周期の数（図５から図８のλを参照されたい）が、第１のＩＧＶガイドベーン２４の数に等しく、４０％以内にある。
【００６１】
図９〜図１１に示すように、ＩＧＶ２４を、歯３０を有する空力学的整列に配置することは、ＩＧＶ２４の数と、前縁部１６４における歯３０の数とが、上述の割合にある場合、同様に好ましいものとなる。
【００６２】
このため、乱流の顕著な領域が、ケーシング領域におけるＩＧＶの前縁部に影響することを防止するために、Ｘ軸周りにおいて、鋸歯状プロファイル２８の凹部３２の少なくともいくつかを、ＩＧＶ２４の角度位置から、角度的に（周方向に）オフセットさせ、それにより、これら凹部３２が、図９〜図１１に示すように、２つの最初の周方向に連続するＩＧＶ２４間に介在されるようにすることが提案されている。
【００６３】
これらの図では、ＩＧＶ２４は、歯３０と連続して、軸方向（Ｘ）に均等に配置されている。より正確には、各ＩＧＶ２４が、Ｘ軸に沿って実質的に整列して配置されており、上流において、歯３０の頂部がＩＧＶ２４の前方にある。
【００６４】
図９では、この整列は全体Ｘ軸に平行である。また、歯３０は、各々が頂部３１を有しており、この頂部３１では、Ｘ軸に対して平行な方向に関し、各個に対称である。この平行な方向は、考慮される歯３０の頂部３１を通っている（例えば平行な方向Ｘ１を参照されたい）。
【００６５】
図１０および図１１では、ＩＧＶ２４は、Ｘ軸に対し、Ｘ-Ｙ平面において角度βだけ傾斜している。歯３０は、このため、このＸ軸周りに周方向に、同じ角度βで、共通のＩＧＶ２４と同じ方向に傾斜されることができる。代替的には、ファン１４の回転の影響を考慮すると（図２の実施例の矢印を参照されたい）、歯は、ファンの下流において、流れの方向に傾斜させることができる（このことは、図１０および図１１に示すように、Ｘ軸と角度αを形成することができる）。
【００６６】
実施されたテストの最初の結果を考えると、１５°から６０°の間の角度αおよび／またはβが適切である場合がある。したがって、このことは限定的ではない。
【００６７】
このため、ＩＧＶ２４（の前縁部）と、歯３０（の前縁部）との両方が、実際、空気流３８にほぼ面している。この空気流３８は、その全体の斜めの方向Ｕが、ファン１４の一致した回転方向（矢印Ｓ）を考慮し、Ｘに沿う、その成分Ｕｘと、Ｙに沿う成分Ｕｙとの結果である。
【００６８】
さらに、歯３０は、全体軸Ｘに対して平行な方向（図１０のＸ’１および図１１のＸ’２を参照されたい）に関し、各個に軸方向には対称ではなく、やはり、問題となっている歯の頂部３１を通っている。
【００６９】
これらの配置の目的は、２つの要素があると見なされることができる。第１に、凹部３２に生じる、加速された乱流の流れと、ＩＧＶの前縁部２５との間の干渉を避けることである（図９〜図１１）。このことは、低圧コンプレッサ２２のノイズに著しく寄与し得る。第２に、この技術的解決策は、この低圧コンプレッサ２２の吸気を最適にするため、および、あらゆる空力学的損失を低減するために、使用されることができる。
【００７０】
図１０および図１１に示すように、これら第１のガイドベーン／ＩＧＶ２４は、個別に、ファン１４の回転の影響に対処するために、そのガイドベーンの翼弦に沿って、平均的なキャンバーライン２４０を示す場合がある。
【００７１】
図示の実施例では、上側表面２４１は、正のＹ方向を向いており、下側表面は反対側にある。
【００７２】
これらの条件下では、ファン１４がこうして下流に生成する、渦を巻く空気流のＩＧＶ２４に対する音響の影響を制限もするために、図１０および図１１に示すように、歯３０が、前記全体軸Ｘ周りに周方向に、その前縁部２５において、ＩＧＶ２４の平均キャンバーの前記ライン２４０に対する接線４２の方向に全体的に向けられて、一次脈流ケーシングの近位においてＩＧＶに影響する相対流れの発生を向上させ、こうして、剥離に関する潜在的な負の影響を、および／または、ＩＧＶのグリッド性能の損失を制限することも提案されている。「全体の」により、我々は、同一の角度から、４０％までを意図している。図１０および図１１に示すように、前記接線は、ターボ機械の全体軸（Ｘ）の方向に対し、流れの方向において鋭角の、ゼロではない角度（β）を形成する場合がある。この流れの方向は、それ自体は下流を向いている。
【００７３】
体系的に、全体軸Ｘに沿って、歯３０は、図に見られることができるように、ＩＧＶ２４の前縁部２から上流に位置している。
【００７４】
しかしながら、ノイズ低減に有益となり得る、歯のサイズの増大のために、依然としてこのＸ軸の方向において、鋸歯状プロファイル２８の凹部３２の底部３２０が、それらの少なくともいくつかに関し、第１の表面であって、前記Ｘ軸を横切り、図１０ではＹ１、図１１ではＹ２としてマークされ、（図１０）に配置された、第１の表面に属し、または、第２の表面であって、やはりＸ軸を横切り、図１０ではＹ’１、図１１ではＹ’２とマークされ、ＩＧＶ２４の前縁部２５の少なくともいくつかが属する第２の表面よりさらに上流（ＡＭ）または下流（ＡＶ、図１１）にオフセットされることが、提案されている。図示に関わらず、このことは、先験的に、歯３０の頂部および凹部３２の底部３２０の形状とは無関係である。より上流側の配置が、同様に可能であり、上述の効果に匹敵する効果を有する。
【００７５】
このことに関し、鋸歯状プロファイル２８の歯３０および凹部３２は、ファンブレードによって生成される空気流の影響のノイズを低減することを補助し、また、波形のケースでは、局所的な応力の集中を低減するために、個別に、丸い（図１０）か鋭い（図１１）先端を有する、波状の形状を有することになる。
【００７６】
これら歯３０および凹部３２の、図１１で符号３００が附される側壁の形状に関し、これら側壁は、個別に、かつ局所的に、直線状（図１１）である場合があり、別の、潜在的に効率的な製造プロセスを提供する。このことは、前縁部に沿って、ノイズ発生源間のいくらかの非相関、または位相シフトを導入し得る。
【図１】
2021514036.tif 000025
【図２】
2021514036.tif 000026
【図３】
2021514036.tif 000027
【図４】
2021514036.tif 000028
【図５】
2021514036.tif 000029
【図６】
2021514036.tif 000030
【図７】
2021514036.tif 000031
【図８】
2021514036.tif 000032
【図９】
2021514036.tif 000033
【図１０】
2021514036.tif 000034
【図１１】
2021514036.tif 000035
【図１２】
2021514036.tif 000036
【図１３】
2021514036.tif 000037
【国際調査報告】
2021514036.tif 000038
2021514036.tif 000039
2021514036.tif 000040
2021514036.tif 000041